(57)【要約】【課題】外部電圧の供給を開始する操作が行われた後、迅速に画像処理を実行させる。【解決手段】画像処理装置に、外部電圧の供給を開始する操作に用いるスイッチ部と、外部電圧を用いて生成した電源電圧を供給する電源部と、操作表示部と、画像処理部と、前記操作によって電源電圧の供給が開始されたときに操作表示部に第一初期処理を開始させ、第一初期処理の開始後、画像処理部に第二初期処理を開始させる初期化制御部と、第二初期処理の終了後、画像処理に用いる実行条件の入力を受け付ける条件受付部と、を備える。操作表示部は、表示部と、記憶部と、第一初期処理の終了後、操作画面を表示部に表示する表示制御部と、第二初期処理中に操作画面を用いて実行条件が入力された場合当該実行条件を記憶部に記憶し、第二初期処理の終了後に当該記憶されている実行条件を条件受付部へ出力する条件設定部とを備える。【選択図】図２
2016103754.tif 000002
【特許請求の範囲】
【請求項１】
ユーザーが、外部電圧の供給を開始する操作に用いるスイッチ部と、
前記外部電圧を用いて電源電圧を生成し、生成した前記電源電圧を供給する電源部と、
前記電源電圧を用いて動作する操作表示部と、
前記電源電圧を用いて所定の画像処理を実行する画像処理部と、
ユーザーが前記スイッチ部を用いて前記操作を行うことによって前記電源部により前記電源電圧の供給が開始されたときに、前記操作表示部に所定の第一初期処理を開始させ、前記第一初期処理の開始後、前記画像処理部に所定の第二初期処理を開始させる初期化制御部と、
前記第二初期処理の終了後、前記画像処理に用いる実行条件の入力を受け付ける条件受付部と、
を備え、
前記操作表示部は、
表示部と、
記憶部と、
前記第一初期処理の終了後、前記実行条件が入力可能な操作画面を前記表示部に表示する表示制御部と、
前記第二初期処理中に前記操作画面を用いて前記実行条件が入力された場合、当該実行条件を前記記憶部に記憶し、前記第二初期処理の終了後に前記記憶部に記憶されている前記実行条件を前記条件受付部へ出力する条件設定部と、
を備える画像処理装置。
【請求項２】
前記第二初期処理の終了後、前記画像処理を実行させる実行指示の入力を受け付ける指示受付部と、
前記指示受付部により前記実行指示が受け付けられた場合、前記条件受付部により受け付けられた前記実行条件を用いて前記画像処理を実行させる実行制御部と、
を更に備え、
前記操作表示部は、
前記実行指示が入力可能な入力部と、
前記入力部を用いて前記実行指示が入力された場合に、前記第二初期処理が終了していないときは前記実行指示を前記指示受付部へ出力せず、前記第二初期処理が終了しているときは前記実行指示を前記指示受付部へ出力する指示制限部と、
を更に備える請求項１に記載の画像処理装置。
【請求項３】
前記入力部には発光素子が設けられ、
前記操作表示部は、
前記第二初期処理が終了していない場合に前記発光素子を消灯させ、前記第二初期処理が終了している場合に前記発光素子を点灯させる点灯制御部を更に備える請求項２に記載の画像処理装置。
【請求項４】
前記操作表示部は、
前記第二初期処理が終了していない場合に、前記入力部を用いて前記実行指示が入力されたとき、所定の警告音を出力する警告部を更に備える請求項２又は３に記載の画像処理装置。
【請求項５】
前記実行制御部は、前記条件受付部によって受け付けられた前記実行条件に不正な実行条件が含まれている場合、前記画像処理部に前記画像処理を実行させず、不正な実行条件が含まれていることを示すメッセージを前記表示部に表示する請求項２から４の何れか一項に記載の画像処理装置。
【発明の詳細な説明】
【技術分野】
【０００１】
本発明は、画像処理装置に関し、特に、画像処理装置への外部電圧の供給開始直後に画像処理を実行させる技術に関する。
【背景技術】
【０００２】
複写機やスキャナー等の画像処理装置は、外部電圧の供給開始時に所定の初期処理を行い、当該初期処理の終了後、画像処理を実行する構成となっている。そこで、従来から、画像処理装置への外部電圧の供給開始後、迅速に画像処理を実行できるよう、初期処理に要する時間を短縮することが行われている。
【０００３】
例えば下記特許文献１には、電源投入時に、初期設定に必要な情報及びジョブで使用する情報を記憶している外部装置と通信を行う画像形成装置が記載されている。この画像形成装置は、電源投入時に外部装置から初期設定に必要な情報を受信し、当該受信した情報に基づき初期設定を行う。その後、画像形成装置は、外部装置からジョブで使用する情報を受信する。
【０００４】
このように、下記特許文献１には、外部装置に記憶されている初期設定に必要な情報とジョブで使用する情報とを異なるタイミングで受信することにより、電源投入時における外部装置からの情報の受信による負荷を低減し、初期設定に要する時間を短縮することが記載されている。
【０００５】
また、下記特許文献２には、消費電力を低減させる省電力状態と、印刷ジョブを実行可能な印刷可能状態とを切り換え可能な画像形成装置が記載されている。この画像形成装置は、印刷ジョブの実行予定時刻を含む印刷データを端末装置から受信すると、当該印刷データに含まれる印刷ジョブの実行予定時刻までに、省電力状態から印刷可能状態に切り替える。
【０００６】
このように、下記特許文献２には、省電力状態から印刷可能状態に切り替えるのに要する時間自体は短縮しないが、印刷ジョブの実行予定時刻までに印刷可能状態に切り替えることによって、印刷ジョブの実行予定時刻後、迅速に印刷ジョブを実行可能な状態にすることが記載されている。
【先行技術文献】
【特許文献】
【０００７】
【特許文献１】特開２０１３−２０７７７４号公報
【特許文献２】特開２０１０−２７４５７５号公報
【発明の概要】
【発明が解決しようとする課題】
【０００８】
しかし、電源が投入されていない状態の画像処理装置に出向いたユーザーが、電源を投入する操作を行った後、画像処理を実行させるための操作を行う場合がある。
【０００９】
この場合、上記特許文献１に記載の技術を用いたとしても、当該ユーザーは、初期処理が行われている間、画像処理に用いる情報を入力できず、待機することしかできない。また、外部装置から画像処理に用いる情報を取得できないので、当該ユーザーは、初期処理が終了するまで待機した後、画像処理に用いる情報を一から入力しなければならない。
【００１０】
つまり、上記特許文献１に記載の技術を用いたとしても、上記の場合には、電源投入時から、初期処理に要する時間とユーザーによる画像処理に用いる情報の入力に要する時間との合計時間が経過した後に、画像処理が実行されることになり、電源投入時から画像処理が実行されるまでの期間を短縮することはできなかった。
【００１１】
また、上記の場合に、上記特許文献２に記載の技術を用いたとしても、電源が投入される事前には何らデータを入力していないので、当該ユーザーが画像処理装置に出向いて画像処理を実行させる操作を開始するまでに、電源を予め投入しておくことはできない。
【００１２】
つまり、上記特許文献２に記載の技術を用いたとしても、上記の場合には、電源投入時から、初期処理に要する時間とユーザーによる画像処理に用いる情報の入力に要する時間との合計時間が経過した後に、画像処理が実行されることになり、電源投入時から画像処理が実行されるまでの期間を短縮することはできなかった。
【００１３】
本発明は、上記の問題を解決するためになされたものであり、外部電圧が供給されていない状態の画像処理装置に出向いたユーザーが、外部電圧の供給を開始する操作を行った後、迅速に画像処理を実行させることができる画像処理装置を提供することを目的とする。
【課題を解決するための手段】
【００１４】
本発明による画像処理装置は、ユーザーが、外部電圧の供給を開始する操作に用いるスイッチ部と、前記外部電圧を用いて電源電圧を生成し、生成した前記電源電圧を供給する電源部と、前記電源電圧を用いて動作する操作表示部と、前記電源電圧を用いて所定の画像処理を実行する画像処理部と、ユーザーが前記スイッチ部を用いて前記操作を行うことによって前記電源部により前記電源電圧の供給が開始されたときに、前記操作表示部に所定の第一初期処理を開始させ、前記第一初期処理の開始後、前記画像処理部に所定の第二初期処理を開始させる初期化制御部と、前記第二初期処理の終了後、前記画像処理に用いる実行条件の入力を受け付ける条件受付部と、を備え、前記操作表示部は、表示部と、記憶部と、前記第一初期処理の終了後、前記実行条件が入力可能な操作画面を前記表示部に表示する表示制御部と、前記第二初期処理中に前記操作画面を用いて前記実行条件が入力された場合、当該実行条件を前記記憶部に記憶し、前記第二初期処理の終了後に前記記憶部に記憶されている前記実行条件を前記条件受付部へ出力する条件設定部と、を備える。
【００１５】
本構成によれば、第二初期処理中に実行条件が入力された場合、当該実行条件が記憶部に記憶される。そして、第二初期処理の終了後に、記憶部に記憶されている実行条件が条件受付部へ出力される。
【００１６】
このため、ユーザーは、スイッチ部を用いて外部電圧の供給を開始する操作を行ってから、第二初期処理が終了するまでの期間内に、画像処理に用いる実行条件を入力することができる。また、当該期間の経過後、当該期間内に入力した実行条件を条件受付部に受け付けさせることができる。これにより、外部電圧が供給されていない状態の画像処理装置に出向いたユーザーは、上記期間中に実行条件を入力しておき、上記期間の経過後迅速に、上記期間中に入力した実行条件を用いて画像処理を実行させることができる。
【００１７】
また、前記第二初期処理の終了後、前記画像処理を実行させる実行指示の入力を受け付ける指示受付部と、前記指示受付部により前記実行指示が受け付けられた場合、前記条件受付部により受け付けられた前記実行条件を用いて前記画像処理を実行させる実行制御部と、を更に備え、前記操作表示部は、前記実行指示が入力可能な入力部と、前記入力部を用いて前記実行指示が入力された場合に、前記第二初期処理が終了していないときは前記実行指示を前記指示受付部へ出力せず、前記第二初期処理が終了しているときは前記実行指示を前記指示受付部へ出力する指示制限部と、を更に備えてもよい。
【００１８】
本構成によれば、入力部を用いて実行指示が入力された場合に、第二初期処理が終了していないときは、当該実行指示が指示受付部へ出力されず、第二初期処理が終了しているときは、当該実行指示が指示受付部へ出力される。
【００１９】
このため、第二初期処理が終了しているときに限り、指示受付部に実行指示を受け付けさせることができる。これにより、第二初期処理が終了していないうちに機能が実行されることによって、当該機能が正常に実行されない虞を低減することができる。
【００２０】
また、前記入力部には発光素子が設けられ、前記操作表示部は、前記第二初期処理が終了していない場合に前記発光素子を消灯させ、前記第二初期処理が終了している場合に前記発光素子を点灯させる点灯制御部を更に備えてもよい。
【００２１】
本構成によれば、第二初期処理が終了していない場合、発光素子は消灯し、第二初期処理が終了している場合、発光素子は点灯する。このため、ユーザーは、発光素子が点灯しているか否かに応じて、画像処理装置が機能を実行することのできる状態であるか否かを容易に判別することができる。
【００２２】
また、前記操作表示部は、前記第二初期処理が終了していない場合に、前記入力部を用いて前記実行指示が入力されたとき、所定の警告音を出力する警告部を更に備えてもよい。
【００２３】
本構成によれば、第二初期処理が終了していない場合に、入力部を用いて実行指示が入力されたとき、警告音が出力される。このため、ユーザーは、当該警告音を聞くことによって、画像処理装置が機能を実行することのできない状態であることに容易に気付くことができる。
【００２４】
また、前記実行制御部は、前記条件受付部によって受け付けられた前記実行条件に不正な実行条件が含まれている場合、前記画像処理部に前記画像処理を実行させず、不正な実行条件が含まれていることを示すメッセージを前記表示部に表示してもよい。
【００２５】
本構成によれば、条件受付部によって受け付けられた実行条件に不正な実行条件が含まれている場合、指示受付部により受け付けられた実行指示が示す機能は実行されず、不正な実行条件が含まれていることを示すメッセージが表示部に表示される。このため、ユーザーは、当該メッセージを視認後、迅速に当該不正な実行条件を入力し直すことができる。
【発明の効果】
【００２６】
この発明によれば、外部電圧が供給されていない状態の画像処理装置に出向いたユーザーが、外部電圧の供給を開始する操作を行った後、迅速に画像処理を実行させることができる画像処理装置を提供することができる。
【図面の簡単な説明】
【００２７】
【図１】本発明に係る画像処理装置の一実施形態に係る複合機の外観図である。
【図２】前記複合機の電気的構成を示すブロック図である。
【図３】操作画面の一例を示す図である。
【図４】本体制御部の動作を示すフローチャートである。
【図５】操作表示部の動作を示すフローチャートである。
【発明を実施するための形態】
【００２８】
以下、本発明に係る画像処理装置の一実施形態を図面に基づいて説明する。尚、本実施形態では、画像処理装置として複合機を例に説明するが、これに限定する趣旨ではなく、画像処理装置は、例えば、複写機、プリンター、ファクシミリ装置、又はスキャナー等であってもよい。
【００２９】
図１は、本発明に係る画像処理装置の一実施形態に係る複合機１の外観図である。図２は、複合機１の電気的構成を示すブロック図である。図１及び図２に示すように、複合機１は、スイッチ部２、電源部３、画像読取部５（画像処理部）と、画像形成部６（画像処理部）と、給紙部７（画像処理部）と、通信部８（画像処理部）と、操作表示部４と、本体制御部１０と、を備えている。
【００３０】
スイッチ部２は、図１に示すように、例えば複合機１の側面に設けられている。スイッチ部２は、ユーザーの操作によって、オン状態（閉状態）又はオフ状態（開状態）に切り替えられるスイッチである。スイッチ部２は、電源ケーブルＬの一端に接続されている。電源ケーブルＬの他端は、外部の交流電源ＡＣに接続されている。
【００３１】
スイッチ部２がユーザーの操作によってオン状態に切り替えられると、交流電源ＡＣから供給される交流電圧（外部電圧）が、電源ケーブルＬを介して電源部３へ供給される。一方、スイッチ部２がユーザーの操作によってオフ状態に切り替えられると、交流電源ＡＣから電源部３への交流電圧の供給が遮断される。
【００３２】
電源部３は、複合機１の内部に設けられている。電源部３は、交流電源ＡＣから供給された交流電圧を用いて電源電圧Ｖを生成し、生成した電源電圧Ｖを、画像読取部５、画像形成部６、給紙部７、通信部８、操作表示部４、及び本体制御部１０へ供給する。
【００３３】
具体的には、電源部３は、不図示のＡＣＤＣコンバーターを備えている。電源部３は、スイッチ部２を介して交流電源ＡＣから供給された交流電圧を、当該ＡＣＤＣコンバーターを用いて所定レベルの直流電圧に変換する。これにより、電源部３は、当該直流電圧を電源電圧Ｖとして生成する。
【００３４】
画像読取部５は、図１に示すように、複合機１の上部に設けられている。画像読取部５は、ＣＣＤ（Ｃｈａｒｇｅ  Ｃｏｕｐｌｅｄ  Ｄｅｖｉｃｅ）ラインセンサーや露光ランプ等を有する不図示の光学系ユニットを備えている。
【００３５】
画像読取部５は、本体制御部１０による制御の下、電源部３からの電源電圧Ｖの供給が開始されたときに画像読取部５の初期処理（第二初期処理）を実行する。画像読取部５の初期処理には、例えば、光学系ユニットの画像の読取精度を高めるためのキャリブレーション処理等が含まれる。
【００３６】
画像読取部５は、上記初期処理の終了後、本体制御部１０による制御の下、電源電圧Ｖを用いて画像読取処理（画像処理）を実行する。画像読取処理とは、光学系ユニットに原稿の画像を読み取らせることにより、原稿の画像を表す画像データを生成し、当該画像データを本体制御部１０へ出力する処理である。
【００３７】
画像形成部６は、複合機１の内部に設けられている。画像形成部６は、感光体ドラム、帯電部、露光部、現像部、転写部、定着部、排出部等を備えた周知の構成を有する。
【００３８】
画像形成部６は、本体制御部１０による制御の下、電源部３からの電源電圧Ｖの供給が開始されたときに画像形成部６の初期処理（第二初期処理）を実行する。画像形成部６の初期処理には、例えば、定着部の温度を所定温度まで加熱させるウォームアップ処理等が含まれる。
【００３９】
画像形成部６は、上記初期処理の終了後、本体制御部１０による制御の下、電源電圧Ｖを用いて画像形成処理（画像処理）を実行する。画像形成処理とは、本体制御部１０に入力された画像データが表す画像を用紙に形成する処理である。
【００４０】
給紙部７は、図１に示すように、複合機１の下部に設けられた複数の給紙カセット７１を備えている。各給紙カセット７１には、上記画像形成処理に用いる用紙が収容されている。また、各給紙カセット７１には、用紙を繰り出すための不図示の給紙ローラーや、当該各給紙カセット７１に収容されている用紙の枚数を検出する用紙センサー７２が設けられている。
【００４１】
給紙部７は、本体制御部１０による制御の下、電源部３からの電源電圧Ｖの供給が開始されたときに給紙部７の初期処理（第二初期処理）を実行する。給紙部７の初期処理には、例えば、用紙センサー７２に検出させた用紙の枚数が０でないか否かを判断する、つまり、給紙カセット７１に用紙が収容されているか否かを判断する用紙チェック処理等が含まれる。
【００４２】
給紙部７は、上記初期処理の終了後、本体制御部１０による制御の下、電源電圧Ｖを用いて用紙給紙処理（画像処理）を実行する。用紙給紙処理とは、上記画像形成処理において画像を形成するための用紙を不図示の給紙ローラーによって給紙する処理である。
【００４３】
通信部８は、複合機１の内部に設けられている。通信部８は、ＬＡＮ（Ｌｏｃａｌ  Ａｒｅａ  Ｎｅｔｗｏｒｋ）等の不図示のネットワークに接続され、当該ネットワークに接続された外部装置（例：パーソナルコンピュータ等）との間で各種データの送受信を行う通信インターフェイス回路である。
【００４４】
通信部８は、本体制御部１０による制御の下、電源部３からの電源電圧Ｖの供給が開始されたときに通信部８の初期処理（第二初期処理）を実行する。通信部８の初期処理には、例えば、データを送受信する通信ポートが正常に動作するか否かをチェックするポート初期化処理等が含まれる。
【００４５】
通信部８は、上記初期処理の終了後、本体制御部１０による制御の下、電源電圧Ｖを用いて画像受信処理（画像処理）及び画像送信処理（画像処理）を実行する。画像受信処理とは、上記画像形成処理に用いる画像データを外部装置から受信し、受信した画像データを本体制御部１０へ出力する処理である。画像送信処理とは、上記画像読取処理において出力された画像データを指定された外部装置へ送信する処理である。
【００４６】
操作表示部４は、図１に示すように、複合機１の正面部に設けられている。操作表示部４は、電源電圧Ｖを用いて動作する。操作表示部４は、ユーザーによる種々の操作指示が入力可能に構成されている。
【００４７】
具体的には、操作表示部４は、タッチパネル装置４１と、インジケーター４２と、入力キー４３と、機能切替スイッチ４４と、スタートキー４５（入力部）と、ストップキー４６と、リセットキー４７と、スピーカー４８と、操作制御部４９と、を備えている。
【００４８】
タッチパネル装置４１は、液晶ディスプレイ等の表示部４１１を備えている。また、タッチパネル装置４１は、静電容量方式のタッチパネル機能を有している。タッチパネル機能とは、ユーザーが指やペン等の指示体を表示部４１１に近づけたときに生じる静電容量の変化に基づいて、ユーザーが指示体を用いてタッチ操作した、表示部４１１に表示されているソフトキー等の画面部品を検出する機能である。尚、タッチパネル機能は、静電容量方式に限らず、例えば、超音波方式や光学方式であってもよい。
【００４９】
インジケーター４２は、ＬＥＤ等の発光素子からなる。インジケーター４２は、点滅或いは点灯／消灯することによって複合機１の状態を示す。入力キー４３は、数字や記号を入力したり、入力済みの文字列を消去又は確定するために設けられている。
【００５０】
機能切替スイッチ４４は、実行対象の機能を切り替えるスイッチである。複合機１において実行可能な機能には、例えば、コピー機能、送信機能等が含まれる。コピー機能とは、画像読取部５に画像読取処理を実行させた後、給紙部７に用紙給紙処理を実行させながら、当該画像読取処理で出力された画像データと当該用紙給紙処理で給紙された用紙とを用いて、画像形成部６に画像形成処理を実行させる機能である。送信機能とは、画像読取部５に画像読取処理を実行させた後、当該画像読取処理で出力された画像データを用いて、通信部８に画像送信処理を実行させる機能である。例えば、機能切替スイッチ４４には、実行対象の機能をコピー機能に切り替えるスイッチ、及び、実行対象の機能を送信機能に切り替えるスイッチ等が含まれる。
【００５１】
機能切替スイッチ４４が押下されることにより、実行対象の機能が切り替えられた場合、後述する操作制御部４９による制御の下、当該切り替え後の実行対象の機能に対応する操作画面が表示部４１１に表示される。機能に対応する操作画面とは、当該機能の実行時に用いる実行条件が入力可能な操作画面を示す。実行条件については後述する。
【００５２】
スタートキー４５は、表示部４１１に表示されている操作画面に対応する機能を実行させる実行指示を入力するために設けられている。例えば、コピー機能に対応する操作画面が表示部４１１に表示されているとする。この場合、スタートキー４５が押下されると、コピー機能を実行させる実行指示が入力される。
【００５３】
また、スタートキー４５には、後述する点灯制御部９５による制御の下、点灯又は消灯されるＬＥＤ４５１（発光素子）が設けられている。
【００５４】
ストップキー４６は、各機能の実行を停止するために設けられている。リセットキー４７は、各機能の実行時に用いる実行条件を所定の初期値に戻すために設けられている。
【００５５】
スピーカー４８は、後述する警告部９６により入力された音声データに対応する音声を出力する。尚、スピーカー４８は、所謂ビープ音のみを出力可能であってもよい。この場合、スピーカー４８は、後述する警告部９６による指示の下、当該ビープ音を出力する。
【００５６】
操作制御部４９は、操作表示部４の各部の動作を制御する。具体的には、操作制御部４９は、所定の演算処理を実行する不図示のＣＰＵ（Ｃｅｎｔｒａｌ  Ｐｒｏｃｅｓｓｉｎｇ  Ｕｎｉｔ）と、所定の制御プログラムが記憶されたＥＥＰＲＯＭ等の不図示の不揮発性メモリーと、データを一時的に記憶するための不図示のＲＡＭ（Ｒａｎｄｏｍ  Ａｃｃｅｓｓ  Ｍｅｍｏｒｙ）と、これらの周辺回路等を備えている。
【００５７】
操作制御部４９は、不揮発性メモリー等に記憶された制御プログラムをＣＰＵに実行させることにより、例えば、表示制御部９１、条件設定部９２、指示制限部９４、点灯制御部９５、及び警告部９６として動作する。また、操作制御部４９は、ＲＡＭの記憶領域の一部を記憶部９３として用いる。
【００５８】
表示制御部９１は、本体制御部１０による制御の下、電源部３からの電源電圧Ｖの供給が開始されたときに、操作表示部４の初期処理（第一初期処理）を実行する。操作表示部４の初期処理には、例えば、本体制御部１０が当該初期処理を実行させるために操作制御部４９へ出力した初期データをＲＡＭに記憶するデータロード処理等が含まれる。初期データには、操作画面を表す画面データ、警告音を表す音声データ、初期機能を示す初期機能データ、各機能の実行時に用いる実行条件の初期値等が含まれている。
【００５９】
また、表示制御部９１は、操作表示部４の初期処理の終了後、上記初期機能データが示す初期機能に対応する操作画面を表す画面データをＲＡＭから取得する。そして、表示制御部９１は、当該取得した画面データが表す操作画面を表示部４１１に表示する。
【００６０】
条件設定部９２は、画像読取部５、画像形成部６、給紙部７及び通信部８のうち何れかの動作部が初期処理を実行中に、操作画面を用いて実行条件が入力された場合、当該実行条件を記憶部９３に記憶する。以下、画像読取部５、画像形成部６、給紙部７及び通信部８を総称して、画像処理部と記載する。
【００６１】
そして、条件設定部９２は、全ての画像処理部が初期処理を終了した後、記憶部９３に記憶されている実行条件を後述する条件受付部１２へ出力する。
【００６２】
一方、条件設定部９２は、全ての画像処理部が初期処理を終了した後、操作画面を用いて実行条件が入力された場合は、当該実行条件を記憶部９３には記憶せずに、後述する条件受付部１２へ出力する。
【００６３】
図３は、操作画面Ｗ１の一例を示す図である。例えば、上記初期機能データが示す初期機能が、コピー機能であるとする。この場合、図３に示すように、表示制御部９１は、操作表示部４の初期処理を終了後、コピー機能に対応する操作画面Ｗ１を表示部４１１に表示する。
【００６４】
操作画面Ｗ１には、コピー機能の実行時に行われる画像読取処理、用紙給紙処理及び画像形成処理で用いる７つの実行条件をそれぞれ入力するためのソフトキーが設けられている。
【００６５】
具体的には、操作画面Ｗ１には、上記７つのソフトキーとして、実行条件「部数」を入力するための部数キーＳＫ１、実行条件「用紙」を入力するための用紙キーＳＫ２、実行条件「縮小／拡大」を入力するための縮小／拡大キーＳＫ３、実行条件「両面／分割」を入力するための両面／分割キーＳＫ４、実行条件「濃度」を入力するための濃度キーＳＫ５、実行条件「ページ集約」を入力するためのページ集約キーＳＫ６、実行条件「排出先」を入力するための排出先キーＳＫ７が設けられている。
【００６６】
操作画面Ｗ１の上部には、部数キーＳＫ１を用いて入力された実行条件「部数」を表示するための表示欄Ｋ１が設けられている。また、６つのソフトキーＳＫ２〜ＳＫ７のそれぞれの上部には、６つのソフトキーＳＫ２〜ＳＫ７をそれぞれ用いて入力された実行条件「用紙」、「縮小／拡大」、「両面／分割」、「濃度」、「ページ集約」、「排出先」を表示するための表示欄Ｋ２〜Ｋ７が設けられている。
【００６７】
上記７つのソフトキーＳＫ１〜ＳＫ７を代表して用紙キーＳＫ２について説明する。用紙キーＳＫ２は、用紙給紙処理によって給紙させる用紙、つまり、画像形成処理において画像を形成するための用紙を、実行条件「用紙」として入力するためのソフトキーである。
【００６８】
タッチパネル装置４１によって用紙キーＳＫ２のタッチ操作が検出されると、表示制御部９１は、実行条件「用紙」として入力可能な予め定められた複数種類の用紙をそれぞれ示す複数のソフトキーを、用紙キーＳＫ２に重ねて表示する。
【００６９】
例えば、複数種類の用紙には、「Ａ４縦」、「Ａ４横」、「Ｂ４縦」、「Ｂ４横」、「Ａ５縦」、「Ｂ５縦」等、各給紙カセット７１（図１）に収容可能な複数種類の用紙が含まれる。用紙キーＳＫ２のタッチ操作が検出されると、表示制御部９１は、「Ａ４縦」「Ａ４横」「Ｂ４縦」「Ｂ４横」「Ａ５縦」「Ｂ５縦」等をそれぞれ示す複数のソフトキーを、用紙キーＳＫ２に重ねて表示する。
【００７０】
そして、当該複数のソフトキーのうちの何れかのタッチ操作が検出されると、条件設定部９２は、当該タッチ操作されたソフトキーが示す用紙が、実行条件「用紙」として入力されたと判断する。また、表示制御部９１は、当該タッチ操作されたソフトキーが示す用紙を表示欄Ｋ２に表示する。このようにして、表示制御部９１は、用紙キーＳＫ２を用いて入力された実行条件「用紙」を、表示欄Ｋ２に表示する。
【００７１】
例えば、図３は、用紙キーＳＫ２がタッチ操作された後、「Ａ４縦」を示すソフトキーがタッチ操作された例を示している。つまり、図３は、用紙キーＳＫ２を用いて、実行条件「用紙」として「Ａ４縦」が入力された例を示している。尚、実行条件の入力方法を、これに限定する趣旨ではない。
【００７２】
条件設定部９２は、上記７つのソフトキーＳＫ１〜ＳＫ７を用いて実行条件が入力された場合に、何れかの画像処理部が初期処理中のときは、当該実行条件を記憶部９３に記憶する。一方、条件設定部９２は、上記７つのソフトキーＳＫ１〜ＳＫ７を用いて実行条件が入力された場合に、全ての画像処理部が初期処理を終了しているときは、当該実行条件を記憶部９３には記憶せずに、後述する条件受付部１２へ出力する。
【００７３】
指示制限部９４は、スタートキー４５を用いて実行指示が入力された場合に、何れかの画像処理部が初期処理を終了していないときは、当該実行指示を後述する指示受付部１３へ出力しない。一方、指示制限部９４は、全ての画像処理部が初期処理を終了しているときは、当該実行指示を後述する指示受付部１３へ出力する。
【００７４】
点灯制御部９５は、何れかの画像処理部が初期処理を終了していない場合にＬＥＤ４５１を消灯させ、全ての画像処理部が初期処理を終了している場合にＬＥＤ４５１を点灯させる。
【００７５】
警告部９６は、何れかの画像処理部が初期処理を終了していない場合に、スタートキー４５を用いて実行指示が入力されたとき、操作表示部４の初期処理時にＲＡＭに記憶された音声データが示す警告音をスピーカー４８に出力させる。尚、上述のように、スピーカー４８がビープ音のみを出力可能に構成されている場合、警告部９６は当該ビープ音を上記警告音としてスピーカー４８に出力させる。
【００７６】
本体制御部１０は、複合機１の内部に設けられている。本体制御部１０は、複合機１の各部の動作を制御する。具体的には、本体制御部１０は、所定の演算処理を実行する不図示のＣＰＵ（Ｃｅｎｔｒａｌ  Ｐｒｏｃｅｓｓｉｎｇ  Ｕｎｉｔ）と、所定の制御プログラムが記憶されたＥＥＰＲＯＭ等の不図示の不揮発性メモリーと、データを一時的に記憶するための不図示のＲＡＭ（Ｒａｎｄｏｍ  Ａｃｃｅｓｓ  Ｍｅｍｏｒｙ）と、これらの周辺回路等を備えている。
【００７７】
本体制御部１０は、不揮発性メモリー等に記憶された制御プログラムをＣＰＵに実行させることにより、例えば、初期化制御部１１、条件受付部１２、指示受付部１３、及び実行制御部１４として動作する。
【００７８】
初期化制御部１１は、ユーザーがスイッチ部２をオン状態に切り替える操作を行うことによって、電源部３により電源電圧Ｖの供給が開始されたときに、表示制御部９１に操作表示部４の初期処理（第一初期処理）を開始させる。また、初期化制御部１１は、操作表示部４の初期処理を開始させた後、各画像処理部に初期処理（第二初期処理）を開始させる。
【００７９】
また、初期化制御部１１は、全ての画像処理部が初期処理を終了したときに、全ての画像処理部が初期処理を終了したことを示す終了通知データを操作制御部４９へ出力する。これにより、初期化制御部１１は、全ての画像処理部が初期処理を終了したことを操作制御部４９へ通知する。
【００８０】
条件受付部１２は、全ての画像処理部が初期処理を終了した後、実行条件の入力を受け付ける。具体的には、条件受付部１２は、全ての画像処理部が初期処理を終了した後、条件設定部９２によって出力された実行条件が入力されると、当該入力された実行条件を受け付ける。
【００８１】
指示受付部１３は、全ての画像処理部が初期処理を終了した後、実行指示の入力を受け付ける。具体的には、指示受付部１３は、全ての画像処理部が初期処理を終了した後、指示制限部９４によって出力された実行指示が入力されると、当該入力された実行指示を受け付ける。
【００８２】
実行制御部１４は、指示受付部１３により実行指示が受け付けられた場合、条件受付部１２により受け付けられた実行条件を用いて、当該実行指示が示す機能を実行させる。
【００８３】
例えば、条件受付部１２によりコピー機能の実行時に用いる実行条件が受け付けられ、指示受付部１３によりコピー機能の実行指示が受け付けられたとする。この場合、実行制御部１４は、当該コピー機能の実行時に用いる実行条件を用いてコピー機能を実行させる。つまり、実行制御部１４は、当該実行条件を用いて、画像読取部５に画像読取処理を実行させた後、給紙部７に用紙給紙処理を実行させながら、当該画像読取処理で出力された画像データと当該用紙給紙処理で給紙された用紙とを用いて、画像形成部６に画像形成処理を実行させる。
【００８４】
また、実行制御部１４は、条件受付部１２によって受け付けられた実行条件に不正な実行条件が含まれている場合、指示受付部１３によって受け付けられた実行指示が示す機能を実行させず、不正な実行条件が含まれている旨のメッセージを、表示制御部９１によって表示部４１１に表示させる。不正な実行条件とは、機能の実行時に用いることができない実行条件を示す。
【００８５】
例えば、全ての画像処理部が初期処理を終了した後、条件受付部１２によって受け付けられた実行条件「用紙」が「Ａ４縦」を示していたとする。また、給紙部７は、初期処理時に、「Ａ４縦」の用紙を収容するための給紙カセット７１に用紙が収容されていないと判断していたとする。
【００８６】
この場合、実行条件「用紙」が示す「Ａ４縦」の用紙が存在しないので、当該実行条件「用紙」を用いてコピー機能を実行することができない。つまり、当該実行条件「用紙」は、不正な実行条件である。この場合、実行制御部１４は、コピー機能を実行させず、表示制御部９１に、例えばメッセージ「「用紙」の入力が不正です。」を表示部４１１に表示させる。
【００８７】
以下、本体制御部１０及び操作表示部４の動作について説明する。図４は、本体制御部１０の動作を示すフローチャートである。
【００８８】
先ず、本体制御部１０の動作について説明する。図４に示すように、ユーザーの操作によってスイッチ部２がオン状態に切り替えられると（Ｓ１）、交流電源ＡＣから供給される交流電圧が、電源ケーブルＬを介して電源部３へ供給される。これにより、電源部３は、交流電圧を用いて電源電圧Ｖを生成し、電源電圧Ｖの供給を開始する（Ｓ２）。
【００８９】
このとき、初期化制御部１１は、表示制御部９１に操作表示部４の初期処理を開始させる（Ｓ３）。具体的には、初期化制御部１１は、ステップＳ３において、複合機１において実行可能な各機能に対応する操作画面を表す画面データ、警告音を表す音声データ、初期機能を示す初期機能データ、各機能の実行時に用いる実行条件の初期値等を含む初期データをＲＯＭ等から取得する。そして、初期化制御部１１は、当該取得した初期データを操作制御部４９へ出力する。このときの操作表示部４の動作については後述する。
【００９０】
次に、初期化制御部１１は、各画像処理部（画像読取部５、画像形成部６、給紙部７、通信部８）にそれぞれ初期処理を開始させる（Ｓ４）。
【００９１】
全ての画像処理部が初期処理を終了すると（Ｓ５；ＹＥＳ）、初期化制御部１１は、全ての画像処理部が初期処理を終了したことを示す終了通知データを操作制御部４９へ出力する。これにより、初期化制御部１１は、全ての画像処理部が初期処理を終了したことを操作制御部４９へ通知する（Ｓ６）。
【００９２】
ステップＳ６以降、条件設定部９２によって出力された実行条件が条件受付部１２に入力されると（Ｓ７；ＹＥＳ）、条件受付部１２は、当該入力された実行条件を受け付ける（Ｓ８）。
【００９３】
条件受付部１２によって実行条件が受け付けられた後、指示制限部９４によって出力された実行指示が指示受付部１３に入力されない間は（Ｓ９；ＮＯ）、ステップＳ７以降の処理が繰り返される。そして、条件受付部１２によって実行条件が受け付けられた後、指示制限部９４によって出力された実行指示が指示受付部１３に入力されると（Ｓ９；ＹＥＳ）、指示受付部１３は、当該入力された実行指示を受け付ける（Ｓ１０）。
【００９４】
指示受付部１３により実行指示が受け付けられると、実行制御部１４は、ステップＳ８で受け付けられた実行条件に不正な実行条件が含まれているか否かを判定する（Ｓ１１）。
【００９５】
実行制御部１４は、ステップＳ１１において、不正な実行条件が含まれていないと判定した場合（Ｓ１１；ＮＯ）、ステップＳ８で受け付けられた実行条件を用いて、ステップＳ１０で受け付けられた実行指示が示す機能を実行させる（Ｓ１２）。
【００９６】
一方、実行制御部１４は、ステップＳ１１において、不正な実行条件が含まれていると判定した場合（Ｓ１１；ＹＥＳ）、ステップＳ１０で受け付けられた実行指示が示す機能を実行させず、不正な実行条件が含まれている旨のメッセージを表示制御部９１によって表示部４１１に表示させる（Ｓ１３）。
【００９７】
ステップＳ１２及びステップＳ１３以降は、ステップＳ７以降の処理が繰り返される。
【００９８】
以下、操作表示部４の動作について説明する。図５は、操作表示部４の動作を示すフローチャートである。図５に示すように、ステップＳ１（図４）及びステップＳ２（図４）により、操作表示部４への電源電圧Ｖの供給が開始された後、表示制御部９１は、ステップＳ３における初期化制御部１１による指示の下、操作表示部４の初期処理を実行する（Ｓ２１）。
【００９９】
尚、表示制御部９１は、ステップＳ２１において、初期化制御部１１がステップＳ３（図４）において操作制御部４９へ出力した初期データを取得し、当該取得した初期データをＲＡＭに記憶する。上述のように、初期データには、各操作画面を表す画面データ、警告音を表す音声データ、初期機能を示す初期機能データ、各機能の実行時に用いる実行条件の初期値等が含まれている。
【０１００】
表示制御部９１は、操作表示部４の初期処理の終了後、初期機能データが示す初期機能に対応する操作画面（例えば、操作画面Ｗ１（図３））を表す画面データをＲＡＭから取得する。そして、表示制御部９１は、当該取得した画面データが表す操作画面を表示部４１１に表示する（Ｓ２２）。
【０１０１】
尚、表示制御部９１は、ステップＳ２２において、初期機能の実行条件の初期値をＲＡＭから取得し、当該取得した初期値を操作画面内に設けられた実行条件の表示欄（例えば、操作画面Ｗ１の場合、表示欄Ｋ１〜Ｋ７）に表示する。
【０１０２】
そして、何れかの画像処理部が初期処理を終了していず、ステップＳ６（図４）が行われていなかったとする。つまり、終了通知データが操作制御部４９に入力されていず、全ての画像処理部が初期処理を終了したことが操作制御部４９に通知されていなかったとする（Ｓ２３；ＮＯ）。
【０１０３】
この場合、点灯制御部９５は、ＬＥＤ４５１を消灯させる（Ｓ２４）。そして、操作画面を用いて実行条件が入力された場合（Ｓ２５；ＹＥＳ）、条件設定部９２は、当該入力された実行条件を記憶部９３に記憶する（Ｓ２６）。
【０１０４】
尚、ステップＳ２２又は後述のステップＳ３７において実行条件の初期値が操作画面に表示されたときに、全ての画像処理部が初期処理を終了したことが操作制御部４９に通知されていなかったとする（Ｓ２３；ＮＯ）。このときも、条件設定部９２は、上記の初期値の表示によって実行条件が入力されたと判断し（Ｓ２５；ＹＥＳ）、ステップＳ２６を実行する。当該ステップＳ２６において、条件設定部９２は、ステップＳ２２又は後述のステップＳ３７において操作画面に表示された実行条件を、当該操作画面を用いて入力された実行条件として記憶部９３に記憶する。
【０１０５】
そして、ユーザーがスタートキー４５を押下したことにより、操作画面に対応する機能を実行させる実行指示が入力された場合（Ｓ２７；ＹＥＳ）、指示制限部９４は当該実行指示を指示受付部１３へ出力しない。この場合、警告部９６は、ＲＡＭに記憶されている音声データが示す警告音をスピーカー４８に出力させる（Ｓ２８）。
【０１０６】
一方、全ての画像処理部が初期処理を終了しており、ステップＳ６（図４）が行われていたとする。つまり、終了通知データが操作制御部４９に入力されており、全ての画像処理部が初期処理を終了したことが操作制御部４９に通知されていたとする（Ｓ２３；ＹＥＳ）。
【０１０７】
この場合、点灯制御部９５は、ＬＥＤ４５１を点灯させる（Ｓ２９）。そして、記憶部９３に実行条件が記憶されている場合（Ｓ３０；ＹＥＳ）、条件設定部９２は、記憶部９３から当該実行条件を取得し、当該取得した実行条件を条件受付部１２へ出力する（Ｓ３１）。尚、条件設定部９２は、ステップＳ３１において実行条件を出力した後は、記憶部９３に記憶されている当該実行条件を削除する。
【０１０８】
その後、操作画面を用いて実行条件が入力された場合（Ｓ３２；ＹＥＳ）、条件設定部９２は、当該入力された実行条件を記憶部９３に記憶せずに、当該入力された実行条件を条件受付部１２へ出力する（Ｓ３３）。
【０１０９】
尚、ステップＳ２２又は後述のステップＳ３７において実行条件の初期値が操作画面に表示されたときに、全ての画像処理部が初期処理を終了したことが操作制御部４９に通知されていたとする（Ｓ２３；ＹＥＳ）。このときも、条件設定部９２は、上記の初期値の表示によって実行条件が入力されたと判断し（Ｓ３２；ＹＥＳ）、ステップＳ３３を実行する。当該ステップＳ３３において、条件設定部９２は、ステップＳ２２又は後述のステップＳ３７において操作画面に表示された実行条件を、当該操作画面を用いて入力された実行条件として条件受付部１２へ出力する。
【０１１０】
そして、ユーザーがスタートキー４５を押下したことにより、操作画面に対応する機能を実行させる実行指示が入力された場合（Ｓ３４；ＹＥＳ）、指示制限部９４は、当該実行指示を指示受付部１３へ出力する（Ｓ３５）。
【０１１１】
以降、ユーザーによる機能切替スイッチ４４の押下によって実行対象の機能が切り替えられるまでの間は（Ｓ３６；ＮＯ）、ステップＳ２３以降の処理が繰り返される。機能切替スイッチ４４の押下によって実行対象の機能が切り替えられた場合は（Ｓ３６；ＹＥＳ）、表示制御部９１は、当該切り替え後の実行対象の機能に対応する操作画面を表す画面データをＲＡＭから取得する。そして、表示制御部９１は、表示部４１１に表示中の操作画面に代えて、当該取得した画面データが表す操作画面を表示部４１１に表示する（Ｓ３７）。そして、ステップＳ２３以降の処理が繰り返される。
【０１１２】
このように、上記実施形態の構成によれば、何れかの画像処理部が初期処理を実行しているときに（Ｓ２３；ＮＯ）、操作画面を用いて実行条件が入力された場合（Ｓ２５；ＹＥＳ）、当該実行条件が記憶部９３に記憶される（Ｓ２６）。そして、全ての画像処理部が初期処理を終了した後に（Ｓ２３；ＹＥＳ）、記憶部９３に記憶されている実行条件が条件受付部１２へ出力される（Ｓ３３）。
【０１１３】
このため、ユーザーは、スイッチ部２を用いて交流電圧の供給を開始する操作を行ってから、全ての画像処理部が初期処理を終了するまでの期間内に、機能の実行時に用いる実行条件を入力することができる。また、当該期間の経過後、当該期間内に入力した実行条件を条件受付部１２に受け付けさせることができる。これにより、交流電圧が供給されていない状態の複合機１に出向いたユーザーは、上記期間中に実行条件を入力しておき、上記期間の経過後迅速に、上記期間中に入力した実行条件を用いて機能を実行させることができる。
【０１１４】
また、上記実施形態の構成によれば、スタートキー４５を用いて実行指示が入力された場合に、全ての画像処理部が初期処理を終了していないときは（Ｓ２３；ＮＯ、Ｓ２７；ＹＥＳ）、当該実行指示が指示受付部１３へ出力されず、全ての画像処理部が初期処理を終了しているときは（Ｓ２３；ＹＥＳ、Ｓ３４；ＹＥＳ）、当該実行指示が指示受付部１３へ出力される（Ｓ３５）。
【０１１５】
このため、全ての画像処理部が初期処理を終了しているときに限り、指示受付部１３に実行指示を受け付けさせることができる。これにより、何れかの画像処理部が初期処理を終了していないうちに機能が実行されることによって、当該機能が正常に実行されない虞を低減することができる。
【０１１６】
また、上記実施形態の構成によれば、何れかの画像処理部が初期処理を終了していない場合（Ｓ２３；ＮＯ）、ＬＥＤ４５１は消灯し（Ｓ２４）、全ての画像処理部が初期処理を終了している場合（Ｓ２３；ＹＥＳ）、ＬＥＤ４５１は点灯する（Ｓ２９）。このため、ユーザーは、ＬＥＤ４５１が点灯しているか否かに応じて、複合機１が機能を実行させることのできる状態であるか否かを容易に判別することができる。
【０１１７】
また、上記実施形態の構成によれば、何れかの画像処理部が初期処理を終了していない場合に（Ｓ２３；ＮＯ）、スタートキー４５を用いて実行指示が入力されたとき（Ｓ２７；ＹＥＳ）、警告音が出力される（Ｓ２８）。このため、ユーザーは、当該警告音を聞くことによって、複合機１が機能を実行させることのできない状態であることに容易に気付くことができる。
【０１１８】
また、上記実施形態の構成によれば、条件受付部１２によって受け付けられた実行条件に不正な実行条件が含まれている場合（Ｓ１１；ＹＥＳ）、指示受付部１３により受け付けられた実行指示が示す機能は実行されず、不正な実行条件が含まれていることを示すメッセージが表示部４１１に表示される（Ｓ１３）。このため、ユーザーは、当該メッセージを視認後、迅速に当該不正な実行条件を入力し直すことができる。
【０１１９】
尚、上記実施形態は、本発明に係る実施形態の例示に過ぎず、本発明を上記実施形態に限定する趣旨ではない。例えば、以下に示す、変形実施形態であってもよい。
【０１２０】
（１）実行制御部１４が、ステップＳ１１（図４）において、ステップＳ８（図４）で受け付けられた実行条件に不正な実行条件が含まれていると判定した場合に、ステップＳ１３（図４）を行わないようにしてもよい。そして、この場合、実行制御部１４が、例えば、当該不正な実行条件をＲＯＭ等に記憶されている当該実行条件の初期値に変更するようにしてもよい。更に、実行制御部１４が、当該変更後の実行条件を用いてステップＳ１０（図４）で受け付けられた実行指示が示す機能を実行させるようにしてもよい。
【０１２１】
（２）操作制御部４９が警告部９６として動作しないようにして、ステップＳ２８（図５）を省略してもよい。
【０１２２】
（３）スタートキー４５にＬＥＤ４５１を設けないようにしてもよい。これに合わせて、操作制御部４９が点灯制御部９５として動作しないようにして、ステップＳ２４（図５）及びステップＳ２９（図５）を省略してもよい。
【０１２３】
（４）操作制御部４９が指示制限部９４として動作しないようにしてもよい。これに合わせて、操作制御部４９は、スタートキー４５を用いて実行指示が入力された場合（Ｓ２７；ＹＥＳ、Ｓ３４；ＹＥＳ）、全ての画像処理部が初期処理を終了しているか否かによらず、当該実行指示を指示受付部１３へ出力するようにしてもよい。ただし、指示受付部１３は、上述のように、全ての画像処理部が初期処理を終了してないときには、入力された実行指示を受け付けない。
【符号の説明】
【０１２４】
１  複合機（画像処理装置）
２  スイッチ部
３  電源部
４  操作表示部
５  画像読取部（画像処理部）
６  画像形成部（画像処理部）
７  給紙部（画像処理部）
８  通信部（画像処理部）
１１  初期化制御部
１２  条件受付部
１３  指示受付部
１４  実行制御部
４５  スタートキー（入力部）
４９  操作制御部
９１  表示制御部
９２  条件設定部
９３  記憶部
９４  指示制限部
９５  点灯制御部
９６  警告部
４１１  表示部
４５１  ＬＥＤ（発光素子）
Ｖ  電源電圧
Ｗ１  操作画面
【図１】
2016103754.tif 000003
【図２】
2016103754.tif 000004
【図３】
2016103754.tif 000005
【図４】
2016103754.tif 000006
【図５】
2016103754.tif 000007